(57)【要約】【課題】  ごく一般的なヘルメットの外観を向上させることができ、日常的な用途に自転車を使用する者、特に若者や女性に受け入れられやすいヘルメットカバーを提供する。【解決手段】  ヘルメットカバー１は、毛糸等の編み糸を編んでなるものであって、ヘルメットＨの外周を覆う被覆部３と、ヘルメットＨを挿入するための挿入用開口７と、被覆部３の下縁側における挿入用開口７の全周に沿って形成され、伸縮性を有して、少なくともヘルメットＨへの装着時に内側に突出してヘルメットＨの下縁に係止される取着部５と、を備える。取着部５は、被覆部３の下縁３ａの編み目にゴム１０を通して形成される。【選択図】  図２
0003157207.tif 000002
【実用新案登録請求の範囲】
【請求項１】
編み糸を編んでなるヘルメットカバーであって、
ヘルメットの外周を覆う被覆部と、
ヘルメットを挿入するための挿入用開口と、
前記被覆部の下縁側における前記挿入用開口の全周に沿って形成され、伸縮性を有して、少なくともヘルメットへの装着時に内側に突出してヘルメットの下縁に係止される取着部と、
を備えることを特徴とするヘルメットカバー。
【請求項２】
前記取着部が、前記被覆部の下縁側の編み目に、ゴムを通して形成されていることを特徴とする、請求項１に記載のヘルメットカバー。
【請求項３】
前記取着部が、前記被覆部の下縁側に、ストレッチヤーンを編み込んで形成されていることを特徴とする、請求項１に記載のヘルメットカバー。
【請求項４】
前記取着部が、前記被覆部の下縁側における内周側から内側に突出するように編成され、ゴムを通した突縁部からなることを特徴とする、請求項１に記載のヘルメットカバー。
【請求項５】
前記取着部が、ストレッチヤーンを編み込みつつ、前記被覆部の下縁側における内周側から内側に突出するように編成された突縁部からなることを特徴とする、請求項１に記載のヘルメットカバー。
【請求項６】
前記被覆部から下方に延設されて、ヘルメットのあご紐を隠蔽可能な紐カバー部を備えることを特徴とする、請求項１乃至請求項５のいずれかに記載のヘルメットカバー。
【考案の詳細な説明】
【技術分野】
【０００１】
本考案はヘルメットに被覆させて使用するヘルメットカバーに関し、特に、編み糸を編んでなるニット製のヘルメットカバーに関する。
【背景技術】
【０００２】
自転車に乗る際には、転倒時や衝突時の頭部損傷を防止するため、ヘルメットを着用することが推奨されている。
【考案の概要】
【考案が解決しようとする課題】
【０００３】
自動二輪車では言うまでもなく、自転車競技においては、ヘルメットの着用が義務付けられている。また、２００８年６月からは、道路交通法の改正により、１３歳未満の子供を自転車に載せる際に、ヘルメットを着用させることが努力義務として規定された。
【０００４】
しかしながら、それ以外の自転車利用者、すなわち、通勤・通学・日々の買い物等の日常的な用途に自転車を利用する者には、ヘルメットの着用が義務付けられていないため、校則で定められた場合等以外の使用はなかなか定着しない。定着しない理由の一つとして、従来の自転車用ヘルメットの意匠性の無さが挙げられよう。需要の無さから、デザインの多様化が全く進まない一方、日々の買い物のために自転車に乗る女性や、通学のために自転車に乗る学生や若者は、ファッションに敏感であって、格好の良くないものは身に着けたくないので、その悪循環により、自転車用ヘルメットの着用が定着しないのである。
【０００５】
前述の着用が義務化された種類のヘルメットにおいては、使用者から機能や外観についての要望が種々生まれ、それに応える形で、メーカー各社もさまざまな機能やデザインを備えたヘルメットを取り揃えてきた。しかし、日常的な用途の自転車用に似合うヘルメット、特に若者や女性に受け入れられやすいデザインのものは皆無に等しい。ヘルメットの外観がもっとファッショナブルになるならば、自転車用ヘルメット着用の定着、ひいては、自転車人口の増加が期待できるところである。
【０００６】
そこで、本考案は、ごく一般的なヘルメットの外観を向上させることができ、日常的な用途に自転車を利用する者、特に若者や女性に受け入れられやすいヘルメットカバーを提供することを目的とし、ひいては、自転車人口を増加させて自動車の使用を減らし、地球環境を改善することを目的とする。
【課題を解決するための手段】
【０００７】
本考案に係るヘルメットカバーは、毛糸等の編み糸を編んでなるヘルメットカバーであって、ヘルメットの外周を覆う被覆部と、ヘルメットを挿入するための挿入用開口と、被覆部の下縁側における挿入用開口の全周に沿って形成され、伸縮性を有して、少なくともヘルメットへの装着時に内側に突出してヘルメットの下縁に係止される取着部と、を備えることを特徴とする。
【０００８】
このような構成のヘルメットカバーは、毛糸等の編み糸を編んだニット製であって伸縮性に富むから、布等を素材とする場合と比較して、ヘルメットの寸法に精密に合わせて仕立てずとも、ヘルメットにぴったりと装着でき、多少サイズの異なる別のヘルメットにも同様にぴったりと装着できる。そして、ごく一般的なヘルメットの外観を向上させて、若者や女性が、帽子と同様の感覚でヘルメットを着用できるようになり、色やデザインの異なる数種類を用意すれば、洋服に合わせて毎日取替えることができる。また、伸縮性を有して、ヘルメットの下縁に係止される取着部により、使用中にヘルメットから外れてしまうことが防止される。
【０００９】
この取着部は、ヘルメットカバーの形状に応じて、被覆部の下縁側の編み目に、ゴムを通して形成するか、被覆部の内周側から内側に突出するように突縁部を編成し、ゴムを通して形成することが望ましい。この構成によれば、別途、留め具や面状ファスナー等の取付用の部材を、ヘルメットカバーとヘルメットの両方に設けて取付けるような場合と比べて、使用中に外れないヘルメットカバーを、格段に簡易に製造することができ、また、ヘルメットへの着脱が容易となる。突縁部を編成して取着部とする構成では、被覆部の周囲の全域または部分的につばが設けられている場合や、被覆部の上下方向の寸法がヘルメットのそれより長い場合等にも、使用中の外れを防止可能にヘルメットの下縁に係止される取着部を設けることができ、多様なヘルメットカバーの形状に対応することができる。
【００１０】
また、取着部は、被覆部の下縁側、あるいは被覆部の内周側から内側に突出する突縁部に、ストレッチヤーンを編み込んで形成してもよい。この構成によっても、別途の取付部材を、ヘルメットカバーとヘルメットの両方に設ける必要無く、使用時のヘルメットからの外れを防止することができる。但し、ゴムを通して形成する場合には、より簡易に、所望の伸縮性を有する取着部を作ることができ、後日にゴムが伸びきってしまった場合にも、容易に交換することができる。
【００１１】
上述のヘルメットカバーは、被覆部から下方に延設されて、ヘルメットのあご紐を隠蔽可能な紐カバー部をさらに備えることとすれば、ヘルメットの外観を一層向上させることができる。
【図面の簡単な説明】
【００１２】
【図１】本考案の実施例であるヘルメットカバーの斜視図である。
【図２】実施例のヘルメットカバーの使用状態における斜視図である。
【図３】別の実施例のヘルメットカバーの斜視図である。
【図４】さらに他の実施例のヘルメットカバーの斜視図である。
【考案を実施するための形態】
【００１３】
以下に本考案の望ましい実施形態を図面に基づいて説明する。
【００１４】
図１及び図２に示すヘルメットカバー１は、毛糸等の編み糸を編んでなるもので、ヘルメットＨの外周を覆う被覆部３と、ヘルメットＨを挿入するための挿入用開口７と、使用時に、ヘルメットからの抜けを防止する取着部５を備えてなる。
【００１５】
被覆部３は、編み糸を、ヘルメットＨの外周を覆う形状に編んだものであって、図例では、上端側が閉じられ、下端側を開口とした略帽子状に形成されている。この開口がヘルメットＨを挿入するための挿入用開口７となる。
【００１６】
取着部５は、使用時にヘルメットカバー１がヘルメットＨから外れないよう、しっかりとヘルメットＨに取付けられるように、被覆部３の下部において、挿入用開口７の全周に沿って形成されるものである。本実施形態では、取着部５は、挿入用開口７の全周に沿って、被覆部３の下縁３ａにおける編み目にゴム１０を通して形成されている。図２に示すように、ヘルメットＨを挿入用開口７から挿入して、ヘルメットカバー１をヘルメットＨに装着した状態において、取着部５は、ゴム１０により、ヘルメットＨの下縁より内側に突出してヘルメットＨの下縁に係止される態様となり、これによりヘルメットＨからの抜けが防止される。
【００１７】
このように構成されたヘルメットカバー１は、毛糸等の編み糸を編んだニット製であって伸縮性に富むから、布等を素材とする場合と比較して、ヘルメットＨの寸法に精密に合わせて仕立てずとも、ヘルメットＨにぴったりと装着でき、多少サイズの異なる別のヘルメットにも同様にぴったりと装着できる。そして、ごく一般的なヘルメットの外観を向上させて、若者や女性が、帽子と同様の感覚でヘルメットを着用できるようになり、色やデザインの異なる数種類を用意すれば、洋服に合わせて毎日取替えることができる。また、ヘルメットＨの下縁に係止される取着部５により、使用中にヘルメットＨから外れてしまうことが防止される。
【００１８】
さらに、取着部５が、ヘルメットカバー１の下端部である被覆部３の下縁３ａの編み目にゴム１０を通して形成されているから、別途、留め具や面状ファスナー等の取付用の部材を、ヘルメットカバーとヘルメットの両方に設けて取り付けるような場合と比べて、使用中に外れないヘルメットカバー１を、格段に簡易に製造することができ、また、ヘルメットＨへの着脱が容易となる。
【００１９】
別の実施例において、図３に示すヘルメットカバー１Ａは、被覆部１３の下側に、被覆部１３と連続して編成され、使用時にヘルメットＨの下縁より下方に延びるつば部１８を備える。このヘルメットカバー１Ａにおいては、取着部１５は、被覆部１３の下縁１３ａの内周側から内側に突出するように編成され、ゴムを通した突縁部３０からなる。具体的には、この取着部１５は、被覆部１３とつば部１８を連なって編成した後、被覆部１３とつば部１８の境界部位に沿って、編み目を拾い、挿入用開口７の全周に亘って、任意の編み方を数段行なって突縁部３０を形成し、その突縁部３０の編み目にゴム１０を通して形成されている。
【００２０】
このような構成によれば、上述のように被覆部１３の周囲の全域または部分的につばが設けられている場合や、被覆部の上下方向の寸法がヘルメットのそれより長い場合等にも、使用中の外れを防止可能にヘルメットの下縁に係止される取着部を設けることができ、多様なヘルメットカバーの形状に対応することができる。勿論、別途の取付部材を、ヘルメットとヘルメットカバーの両方に設ける必要は無く、ヘルメットＨへの着脱も容易である。
【００２１】
なお、ヘルメットカバー１，１Ａにおいて、取着部５，１５を、ゴム１０を通して形成する代わりに、ヘルメットカバー１における被覆部３の下縁部３ａまたはヘルメットカバー１Ａにおける突縁部３０を編成する際に、編み込み用ストレッチヤーン（図示せず）を一緒に編み込んで、取着部５，１５を形成してもよい。編み込み用ストレッチヤーンは、ニット用のごく細いゴム糸であって、被覆部３，１３の素材である編み糸と引き揃えて、被覆部３の下縁部３ａあるいは突縁部３０を編成すれば、ゴム１０を通した場合と同様の伸縮性が得られ、ヘルメットＨに装着した際に、ヘルメットＨの下縁に係止される取着部５，１５を形成することができる。この構成によっても、上述のヘルメットカバー１と同様、別途の取付部材を、ヘルメットカバーとヘルメットの両方に設ける必要が無い。但し、ゴム１０を使用する場合の方が、より簡易に、所望の伸縮性を有する取着部５，１５を作ることができ、後日にゴム１０が伸びきってしまった場合にも、容易に交換することができる。
【００２２】
本考案に係るヘルメットカバーは、図４に示すように、被覆部３の外周側から下方に延設されて、使用時にヘルメットＨのあご紐Ｓを隠蔽可能な紐カバー部４０を備えてもよい。本実施例の紐カバー部４０は、下向きの略三角形に形成されて、鎖編みよりなる２本の紐４０ａを備える。この紐カバー部４０は、上述の突縁部３０と同様の方法で、被覆部３の外周側における、ヘルメットＨに装着した際にヘルメットＨのあご紐Ｓの取付位置にあたる部位の編み目を拾い、任意の編み方で略逆三角形状の延設部分を編成し、さらに２本の紐４０ａを形成することにより形成する。２本の紐４０ａをヘルメットＨのあご紐Ｓに結べば、あご紐Ｓを隠蔽することができ、さらにヘルメットＨの外観を向上させることができる。また、あご紐Ｓの取付位置は、ちょうどヘルメット着用者の耳の付近にあたるので、紐カバー部４０は、あご紐Ｓを隠蔽するのと同時に、耳を寒さから防ぐ耳当ての役割も果たす。
【００２３】
実施例では、紐カバー部４０は、略逆三角形に形成されているが、これに限らず、半円形等、任意の形に形成してもよい。また、２本の紐４０ａにより、左右のあご紐Ｓにそれぞれ結びつける代わりに、例えば、紐カバー部４０の下端より延びる左右一本ずつの紐をあごの下で結んで、あご紐Ｓを隠す構成としてもよいし、紐を全く備えず、下端を自由端とする構成としてもよい。
【００２４】
上述したヘルメットカバー１，１Ａにおける被覆部３，１３の編み方は、棒針編みによるもの、鈎針編みによるもの、或いは、棒針編みと鈎針編みを組み合わせたもの、のいずれでも構わない。但し、ヘルメットへの着脱の容易さや、サイズの異なるヘルメットへの対応を考慮した場合、編地の伸縮性が確保される編み方が望ましい。
【符号の説明】
【００２５】
１，１Ａ  ・・・  ヘルメットカバー
３，１３  ・・・  被覆部
３ａ，１３ａ  ・・・  下縁
５，１５  ・・・  取着部
７  ・・・  挿入用開口
１０  ・・・  ゴム
３０  ・・・  突縁部
４０  ・・・  紐カバー部
Ｈ  ・・・  ヘルメット
Ｓ  ・・・  あご紐
【図１】
0003157207.tif 000003
【図２】
0003157207.tif 000004
【図３】
0003157207.tif 000005
【図４】
0003157207.tif 000006